【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
複数サイズのドットを用いて記録媒体に画像を記録する画像記録装置であって、
ｎ（ｎは３以上の整数）段階の濃度を表現可能な画素の濃度レベルに応じて、前記画素の記録に用いる前記ドットを決定する決定手段と、
前記決定手段により決定されたドットを前記記録媒体上の画素に記録する手段とを具備し、
前記複数サイズのドットは、前記画素よりも小さい小ドットおよび前記画素よりも大きい大ドットを少なくとも含み、
前記決定手段は、前記小ドットを１つ用いる濃度レベルよりも１段階高い濃度レベルを有する画素に、少なくとも前記大ドットが記録されるように、前記画素の記録に用いるドットを決定することを特徴とする画像記録装置。
【請求項２】
前記決定手段は、更に、前記画素の記録に用いるドットの、当該画素内の記録位置を決定することを特徴とする請求項１に記載の画像記録装置。
【請求項３】
複数サイズのドットを記録媒体に記録可能な記録ヘッドを第１方向に走査させながら前記記録ヘッドより前記記録媒体にドットを記録するための動作と、前記第１方向と交差する第２方向に前記記録媒体を搬送する動作を行うことにより、前記記録媒体に画像を記録する画像記録装置であって、
ｎ（ｎは３以上の整数）段階の濃度を表現可能な画素の濃度レベルに応じて、前記画素の記録に用いるドットと当該ドットの画素内の記録位置を決定する決定手段と、
前記決定手段によって決定されたドットおよび記録位置に応じて、前記記録ヘッドを用いて前記記録媒体に記録する手段とを具備し、
前記決定手段は、前記画素よりも小さい小ドットを１つ用いる濃度レベルよりも１段階高い濃度レベルを有する画素に、前記小ドットおよび前記小ドットと前記第２方向に隣接する位置に前記複数サイズのうちの１つのドットが記録されるように、前記画素の記録に用いるドット及び記録位置を決定することを特徴とする画像記録装置。
【請求項４】
複数サイズのドットを用いて記録媒体に画像を記録する画像記録装置であって、
ｎ（ｎは３以上の整数）段階の濃度を表現可能な画素の濃度レベルに応じて、前記画素の記録に用いるドットを決定する決定手段と、
前記決定手段により決定されたドットを前記記録媒体上の画素に記録する手段とを具備し、
前記複数サイズのドットは、前記画素よりも小さい小ドット、前記画素よりも大きい大ドットおよび前記小ドットよりも大きく且つ前記大ドットよりも小さい中ドットを少なくとも含み、
前記決定手段は、前記小ドットを１つ用いる濃度レベルより高く且つ前記大ドットを用いる濃度レベル以下の所定の濃度レベルを有する画素に、少なくとも１つの中ドットが記録されるように、前記画素の記録に用いるドットを決定することを特徴とする画像記録装置。
【請求項５】
複数サイズのドットを用いて記録媒体に画像を記録する画像記録装置であって、
ｎ（ｎは３以上の整数）段階の濃度を表現可能な画素の濃度レベルに応じて、前記画素の記録に用いるドットを決定する決定手段と、
前記決定手段により決定されたドットを前記記録媒体上の画素に記録する手段とを具備し、
前記決定手段は、前記画素よりも小さい小ドットを１つ用いる濃度レベルより高く且つ前記画素のインクによる被覆率が１００％に達する濃度レベル以下の所定の濃度レベルを有する画素に、少なくとも前記小ドットより大きい１つのドットが記録されるように、前記画素の記録に用いるドットを決定することを特徴とする画像記録装置。
【請求項６】
複数サイズのドットを記録媒体に記録可能な記録ヘッドを第１方向に走査させながら前記記録ヘッドより前記記録媒体にドットを記録するための動作と前記第１方向と交差する第２方向に前記記録媒体を搬送する動作を行うことにより、前記記録媒体に画像を記録する画像記録装置であって、
ｎ（ｎは３以上の整数）段階の濃度を表現可能な画素の濃度レベルに応じて、前記画素の記録に用いるドットを決定する決定手段と、
前記決定手段により決定されたドットを前記記録媒体上の画素に記録する手段とを具備し、
前記決定手段は、前記画素よりも小さいドットを１つ用いる濃度レベルより高く且つ前記領域のインクによる前記第２方向における被覆率が１００％に達する濃度レベル以下の所定の濃度レベルを有する画素に、少なくとも前記小ドットより大きい１つのドットが記録されるように、前記画素の記録に用いるドットを決定することを特徴とする画像記録装置。
【請求項７】
前記濃度レベルに対応した前記複数サイズのドットの組み合わせと前記画素内におけるドットの記録位置が予め記憶されたドットパターンを格納した格納手段を更に具備し、
前記決定手段は、前記格納手段に記憶された前記ドットパターンを前記濃度レベルに応じて選択することによって、前記画素の記録に用いるドットを決定することを特徴とする請求項１乃至６のいずれかに記載の画像記録装置。
【請求項８】
複数サイズのドットを用いて記録媒体に画像を記録する画像記録方法であって、
ｎ（ｎは３以上の整数）段階の濃度を表現可能な画素の濃度レベルに応じて、前記画素の記録に用いるドットを決定する決定工程と、
前記決定工程において決定されたドットを前記記録媒体に記録する工程とを有し、
前記複数サイズのドットは、前記画素よりも小さい小ドットおよび前記画素よりも大きい大ドットを少なくとも含み、
前記決定工程では、前記小ドットが１つ用いられる濃度レベルよりも１段階高い濃度レベルを有する画素の記録に、少なくとも前記大ドットが記録されるように、前記画素の記録に用いるドットを決定することを特徴とする画像記録方法。
【手続補正２】
【補正対象書類名】明細書
【補正対象項目名】００３１
【補正方法】変更
【補正の内容】
【００３１】
そのために本発明は、複数サイズのドットを用いて記録媒体に画像を記録する画像記録装置であって、ｎ（ｎは３以上の整数）段階の濃度を表現可能な画素の濃度レベルに応じて、前記画素の記録に用いる前記ドットを決定する決定手段と、前記決定手段により決定されたドットを前記記録媒体上の画素に記録する手段とを具備し、前記複数サイズのドットは、前記画素よりも小さい小ドットおよび前記画素よりも大きい大ドットを少なくとも含み、前記決定手段は、前記小ドットを１つ用いる濃度レベルよりも１段階高い濃度レベルを有する画素に、少なくとも前記大ドットが記録されるように、前記画素の記録に用いるドットを決定することを特徴とする。
【手続補正３】
【補正対象書類名】明細書
【補正対象項目名】００３２
【補正方法】変更
【補正の内容】
【００３２】
また、複数サイズのドットを記録媒体に記録可能な記録ヘッドを第１方向に走査させながら前記記録ヘッドより前記記録媒体にドットを記録するための動作と、前記第１方向と交差する第２方向に前記記録媒体を搬送する動作を行うことにより、前記記録媒体に画像を記録する画像記録装置であって、ｎ（ｎは３以上の整数）段階の濃度を表現可能な画素の濃度レベルに応じて、前記画素の記録に用いるドットと当該ドットの画素内の記録位置を決定する決定手段と、前記決定手段によって決定されたドットおよび記録位置に応じて、前記記録ヘッドを用いて前記記録媒体に記録する手段とを具備し、前記決定手段は、前記画素よりも小さい小ドットを１つ用いる濃度レベルよりも１段階高い濃度レベルを有する画素に、前記小ドットおよび前記小ドットと前記第２方向に隣接する位置に前記複数サイズのうちの１つのドットが記録されるように、前記画素の記録に用いるドット及び記録位置を決定することを特徴とする。
【手続補正４】
【補正対象書類名】明細書
【補正対象項目名】００３３
【補正方法】変更
【補正の内容】
【００３３】
また、複数サイズのドットを用いて記録媒体に画像を記録する画像記録装置であって、ｎ（ｎは３以上の整数）段階の濃度を表現可能な画素の濃度レベルに応じて、前記画素の記録に用いるドットを決定する決定手段と、前記決定手段により決定されたドットを前記記録媒体上の画素に記録する手段とを具備し、前記複数サイズのドットは、前記画素よりも小さい小ドット、前記画素よりも大きい大ドットおよび前記小ドットよりも大きく且つ前記大ドットよりも小さい中ドットを少なくとも含み、前記決定手段は、前記小ドットを１つ用いる濃度レベルより高く且つ前記大ドットを用いる濃度レベル以下の所定の濃度レベルを有する画素に、少なくとも１つの中ドットが記録されるように、前記画素の記録に用いるドットを決定することを特徴とする。
【手続補正５】
【補正対象書類名】明細書
【補正対象項目名】００３４
【補正方法】変更
【補正の内容】
【００３４】
また、複数サイズのドットを用いて記録媒体に画像を記録する画像記録装置であって、ｎ（ｎは３以上の整数）段階の濃度を表現可能な画素の濃度レベルに応じて、前記画素の記録に用いるドットを決定する決定手段と、前記決定手段により決定されたドットを前記記録媒体上の画素に記録する手段とを具備し、前記決定手段は、前記画素よりも小さい小ドットを１つ用いる濃度レベルより高く且つ前記画素のインクによる被覆率が１００％に達する濃度レベル以下の所定の濃度レベルを有する画素に、少なくとも前記小ドットより大きい１つのドットが記録されるように、前記画素の記録に用いるドットを決定することを特徴とする。
【手続補正６】
【補正対象書類名】明細書
【補正対象項目名】００３５
【補正方法】変更
【補正の内容】
【００３５】
また、複数サイズのドットを記録媒体に記録可能な記録ヘッドを第１方向に走査させながら前記記録ヘッドより前記記録媒体にドットを記録するための動作と前記第１方向と交差する第２方向に前記記録媒体を搬送する動作を行うことにより、前記記録媒体に画像を記録する画像記録装置であって、ｎ（ｎは３以上の整数）段階の濃度を表現可能な画素の濃度レベルに応じて、前記画素の記録に用いるドットを決定する決定手段と、前記決定手段により決定されたドットを前記記録媒体上の画素に記録する手段とを具備し、前記決定手段は、前記画素よりも小さいドットを１つ用いる濃度レベルより高く且つ前記領域のインクによる前記第２方向における被覆率が１００％に達する濃度レベル以下の所定の濃度レベルを有する画素に、少なくとも前記小ドットより大きい１つのドットが記録されるように、前記画素の記録に用いるドットを決定することを特徴とする。
【手続補正７】
【補正対象書類名】明細書
【補正対象項目名】００３６
【補正方法】変更
【補正の内容】
【００３６】
また、複数サイズのドットを用いて記録媒体に画像を記録する画像記録方法であって、ｎ（ｎは３以上の整数）段階の濃度を表現可能な画素の濃度レベルに応じて、前記画素の記録に用いるドットを決定する決定工程と、前記決定工程において決定されたドットを前記記録媒体に記録する工程とを有し、前記複数サイズのドットは、前記画素よりも小さい小ドットおよび前記画素よりも大きい大ドットを少なくとも含み、前記決定工程では、前記小ドットが１つ用いられる濃度レベルよりも１段階高い濃度レベルを有する画素の記録に、少なくとも前記大ドットが記録されるように、前記画素の記録に用いるドットを決定することを特徴とする。
【手続補正８】
【補正対象書類名】明細書
【補正対象項目名】００３７
【補正方法】削除
【補正の内容】
【手続補正９】
【補正対象書類名】明細書
【補正対象項目名】００３８
【補正方法】削除
【補正の内容】